(57)【要約】【課題】用途に応じて傾斜切断も可能であり、傾斜切断を容易且つ正確に行うことができる電動カッターを提供すること。【解決手段】駆動源を内蔵した本体ハウジング２と、前記駆動源によって回転駆動される回転刃３と、該回転刃３の外周の一部を覆う保護カバー８と、該保護カバー８に回動可能に取り付けられたベース９を備えた電動カッター１に、前記回転刃３を被切断材Ｗ表面に垂直な方向に対して所定角度だけ傾斜させるアタッチメント１０を着脱可能に装着する。【選択図】図１
2008200794.tif 000002
【特許請求の範囲】
【請求項１】
駆動源を内蔵した本体ハウジングと、前記駆動源によって回転駆動される回転刃と、該回転刃の外周の一部を覆う保護カバーと、該保護カバーに回動可能に取り付けられたベースを備えた電動カッターであって、
前記回転刃を被切断材表面に垂直な方向に対して所定角度だけ傾斜させるアタッチメントを着脱可能に装着して成ることを特徴とする電動カッター。
【請求項２】
前記アタッチメントを前記ベースに着脱可能に装着したことを特徴とする請求項１記載の電動カッター。
【請求項３】
前記アタッチメントを切断作業時の前記回転刃の進行方向に対して前記ベースの左右の何れにも着脱可能としたことを特徴とする請求項２記載の電動カッター。
【請求項４】
前記アタッチメントは、前記回転刃の傾斜角度を無段階に調整可能であることを特徴とする請求項１〜３の何れかに記載の電動カッター。
【請求項５】
前記アタッチメントを切断作業時の前記回転刃の進行方向に対して前記保護カバーの左右の何れにも着脱可能としたことを特徴とする請求項１記載の電動カッター。
【請求項６】
前記アタッチメントを前記ベースの下面の一部に着脱可能に装着したことを特徴とする請求項１〜３の何れかに記載の電動カッター。
【請求項７】
前記アタッチメントにガイドローラを設けたことを特徴とする請求項１〜６の何れかに記載の電動カッター。
【発明の詳細な説明】
【技術分野】
【０００１】
本発明は、コンクリートやタイル等を切断するための電動カッターに係り、特に傾斜切断を容易且つ正確に行うことができる電動カッターに関するものである。
【背景技術】
【０００２】
従来、コンクリートやタイル等を切断するための電動カッターとして、ディスクグラインダの回転軸にダイヤモンドホイール等の回転刃を結合し、該回転刃の外周部に粉塵の飛散防止等の保護カバーを取り付けた構造のものが一般的に使用されている（特許文献１，２参照）。その一例を図１５及び図１６に示す。
【０００３】
図１５は従来の電動カッターの正面図、図１６は同電動カッターの側面図であり、図示の電動カッター１の本体ハウジング２には駆動源である不図示のモータが内蔵されており、このモータによって所定の速度で回転駆動される不図示の出力軸には円板状の回転刃３が着脱可能に取り付けられている。又、本体ハウジング２の前方（図１６の左方を前方とする）上部にはサブハンドル４が立設されており、同本体ハウジング２の後端部にはハンドル５が一体に設けられている。そして、ハンドル５にはスイッチ６が設けられるとともに、ハンドル５の後端部からは給電用の電源コード７が延びている。
【０００４】
又、本体ハウジング２には、前記回転刃３の上半外周部を覆う保護カバー８が取り付けられており、この保護カバー８にはベース９が回動可能に取り付けられている。尚、このベース９は、切断時に前記回転刃３を被切断材Ｗに沿って案内するとともに、回転刃３の切り込み量（切断深さ）を調整するためのものであって、回転刃３の該ベース９から下方への突出量が被切断材Ｗの切り込み量となる。
【０００５】
而して、被切断材Ｗに垂直な溝を形成するには、図示のように回転刃３をベース９に対して垂直に保った状態でスイッチ６をＯＮ操作してモータを起動し、回転刃３を図１６の矢印ａ方向（時計方向）に回転駆動しながら、電動カッター１を被切断材Ｗの上面に載置する。そして、電動カッター１のハンドル５とサブハンドル４を把持し、該電動カッター１をそのベース９が被切断材Ｗ上を滑るようにして図１６の矢印ｂ方向（前方）に移動させれば、被切断材Ｗには所定の深さの垂直な溝が形成される。
【０００６】
ところで、斯かる電動カッター１の用途の１つにコンクリート側壁への溝切作業が挙げられる。
【０００７】
図１７に示すように、建築現場において垂直なコンクリート側壁Ｗ内に配線３０を通す場合、後加工によってコンクリート側壁Ｗに矩形の溝Ｗａを図１７の紙面垂直方向に形成し、その溝Ｗａ内に配線３０を通した後、溝Ｗａをコンクリート等で充填材３１で埋めることが行われており、この場合、コンクリート側壁Ｗへの溝Ｗａの形成が電動カッター１を用いて次のようになされている。
【０００８】
即ち、電動カッター１を横にしてコンクリート側壁Ｗに図１８に示す幅の狭い２つの溝Ａを側壁Ｗの表面に対して垂直（図１８においては水平）に形成した後、これらの溝Ａによって挟まれた領域Ｂのコンクリートをハンマ等の打撃工具で切除して幅の広い溝Ｗａを形成することが行われている。
【０００９】
ところが、上記方法によって形成された溝Ｗａの底面Ｗａ１は水平な面であるため、溝Ｗａ内に通された配線３０が溝Ｗａから脱落し易い。このため、配線３０を溝Ｗａ内に通した後に溝Ｗａ内をコンクリート等の充填材３１で埋める前に配線３０が溝Ｗａから脱落していることがあり、作業性が甚だ悪いという問題があった。
【００１０】
そこで、図１９に示すように、コンクリート側壁Ｗａに形成される上下２つの溝Ａ，Ｂのうち、下側の溝Ｂを側壁Ｗの表面に対して斜め（側壁Ｗの表面から奥側に向かって斜め下方）に形成することが行われている。このようにすれば、図２０に示すように、溝Ｗａ内に通された配線３０が溝Ｗａの斜めの底面Ｗａ１によって受けられるため、配線３０の溝Ｗａからの脱落が防がれ、作業を効率良く行うことができる。
【００１１】
尚、特許文献３には、複数のガイド面を備えた傾斜切断ガイドをベースの底面に着脱可能に取り付ける提案がなされている。
【特許文献１】特開２００３−１１７９１９号公報
【特許文献２】特開２００２−０４６０１７号公報
【特許文献３】特開２００３−２４５９０３号公報
【発明の開示】
【発明が解決しようとする課題】
【００１２】
しかしながら、図１５及び図１６に示したような回転刃３がベース９に対して垂直に取り付けられた電動カッター１を横にして図１９に示すような斜めの溝Ｂを形成する作業は容易ではなく、又、形成される溝Ｂの精度も悪いという問題があった。特に、ベース９は幅が狭くて電動カッター１全体の重心位置からもズレているため、切断作業が不安定となり易い。
【００１３】
又、特許文献３において提案された傾斜切断ガイドは、これに設けられた複数のガイド面の一部を被切断材の端面に当接させ、他のガイド面を被切断材の表面（電動カッターのベースが接触する面）に当接させる必要があるため、図１９に示すようにコンクリート側壁Ｗの一部に溝Ｗａを形成するような作業には適用できないという問題がある。
【００１４】
本発明は上記問題に鑑みてなされたもので、その目的とする処は、用途に応じて傾斜切断も可能であり、傾斜切断を容易且つ正確に行うことができる電動カッターを提供することにある。
【課題を解決するための手段】
【００１５】
上記目的を達成するため、請求項１記載の発明は、駆動源を内蔵した本体ハウジングと、前記駆動源によって回転駆動される回転刃と、該回転刃の外周の一部を覆う保護カバーと、該保護カバーに回動可能に取り付けられたベースを備えた電動カッターに、前記回転刃を被切断材表面に垂直な方向に対して所定角度だけ傾斜させるアタッチメントを着脱可能に装着したことを特徴とする。
【００１６】
請求項２記載の発明は、請求項１記載の発明において、前記アタッチメントを前記ベースに着脱可能に装着したことを特徴とする。
【００１７】
請求項３記載の発明は、請求項２記載の発明において、前記アタッチメントを切断作業時の前記回転刃の進行方向に対して前記ベースの左右の何れにも着脱可能としたことを特徴とする。
【００１８】
請求項４記載の発明は、請求項１〜３の何れかに記載の発明において、前記アタッチメントは、前記回転刃の傾斜角度を無段階に調整可能であることを特徴とする。
【００１９】
請求項５記載の発明は、請求項１記載の発明において、前記アタッチメントを切断作業時の前記回転刃の進行方向に対して前記保護カバーの左右の何れにも着脱可能としたことを特徴とする。
【００２０】
請求項６記載の発明は、請求項１〜３の何れかに記載の発明において、前記アタッチメントを前記ベースの下面の一部に着脱可能に装着したことを特徴とする。
【００２１】
請求項７記載の発明は、請求項１〜６の何れかに記載の発明において、前記アタッチメントにガイドローラを設けたことを特徴とする。
【発明の効果】
【００２２】
本発明によれば、回転刃を被切断材表面に垂直な方向に対して所定角度だけ傾斜させるアタッチメントを着脱可能に装着したため、用途に応じて傾斜切断も可能であり、傾斜切断を容易且つ正確に行うことができる。
【発明を実施するための最良の形態】
【００２３】
以下に本発明の実施の形態を添付図面に基づいて説明する。
【００２４】
＜実施の形態１＞
図１は本発明の実施の形態１に係る電動カッターの傾斜切断作業を示す正面図、図２は同電動カッターのアタッチメント取付部の拡大断面図であり、これらの図においては図１５及び図１６において示したものと同一要素には同一符号を付しており、以下、それらについての再度の説明は省略する。
【００２５】
本実施の形態に係る電動カッター１は、ベース９にアタッチメント１０を着脱可能に取り付けたことを特徴としており、アタッチメント１０以外の本体の構成は図１５及び図１６に示した従来のものと同じである。
【００２６】
上記アタッチメント１０は、傾斜切断時に電動カッター１全体を被切断材Ｗの切断面に垂直な方向に対して所定角度だけ傾斜させた状態に保持するためのものであって、図２に詳細に示すように、平坦なガイド部１０ａ及び平面取付部１０ｂと、ガイド部１０ａに対して所定角度だけ傾斜した斜面取付部１０ｃとを有しており、本実施の形態では、斜面取付部１０ｃが２本のビス１１によってベース９に取り付けられている。
【００２７】
而して、垂直（被切断材Ｗの切断面に対して垂直）に対して所定角度だけ傾斜した溝を被切断材Ｗに形成する場合には、図示のように、アタッチメント１０のガイド部１０ａを被切断材Ｗの表面（切断面）上に接地させて電動カッター１を被切断材Ｗ上に載置すれば、電動カッター１全体は垂直に対して所定角度だけ傾斜した状態で保持される。
【００２８】
従って、上記状態を保ったまま、不図示のモータを起動して回転刃３を回転駆動しながら、電動カッター１を被切断材Ｗの表面に沿って図１及び図２の紙面垂直方向に移動させれば、垂直に対して所定角度だけ傾斜して回転する回転刃３によって被切断材Ｗには所定角度だけ傾斜した溝が容易且つ正確に形成される。この場合、作業時の加重点となるサイドハンドル４の加重方向正面に被切断材Ｗとの接地面を持ってくることができ、電動カッター１を被切断材Ｗに押し付けながら傾斜切断作業を安定的に行うことが可能となる。このため、図１９に示した傾斜した溝Ｂをコンクリート側壁Ｗに簡単且つ正確に行うことができる。
【００２９】
尚、図３に示すように、ベース９の本体ハウジンング２側とは逆側にアタッチメント１０を取り付ければ、本体ハウジング２によって妨げられていた側壁左角部の傾斜切削（逆傾斜切削）が可能となる。
【００３０】
又、図４に示すように、アタッチメント１０として斜面取付部が図１及び図２に示したアタッチメント１０の斜面取付部１０ｃとは逆側（上向き）に傾斜したものをベース９の本体ハウジンング２側に取り付けても図３に示したと同方向に傾斜した溝を被切断材Ｗに形成することができる。
【００３１】
次に、ベースアタッチメントの別の使用形態を図５〜図７に基づいて説明する。
【００３２】
図５は電動カッターの垂直切断作業を示す正面図、図６は同電動カッターのアタッチメント取付部の拡大断面図、図７は同電動カッターの斜視図である。
【００３３】
アタッチメント１０は、被切断材Ｗに垂直な溝を形成する場合であっても、図示のようにアタッチメント１０の平面取付部１０ｂを２本のビス１１によってベース９に取り付ければ、該アタッチメント１０が垂直切断時のガイドとして機能する。
【００３４】
垂直切断時にアタッチメント１０を上述のような形態で使用すれば、作業時の加重点となるサイドハンドル４の加重方向正面に被切断材Ｗとの接地面を持ってくることができ、電動カッター１を被切断材Ｗに押し付けながら垂直切断作業を安定的に行うことが可能となる。
【００３５】
＜実施の形態２＞
次に、本発明の実施の形態２を図８及び図９に基づいて説明する。
【００３６】
図８及び図９は電動カッターのアタッチメント取付部の断面図であり、本実施の形態は、金具１２をビス１１でベース９に取り付け、該金具１２にアタッチメント１３を固定つまみ１４によって取り付けたことを特徴とする。
【００３７】
ここで、アタッチメント１３の円弧状の起立部１３ａには上下方向に長い溝１３ｂが形成されており、この溝１３ｂに前記固定つまみ１４が挿通している。
【００３８】
而して、垂直切断によって被切断材Ｗに垂直な溝を形成する場合には、図８に示すように、ベース９の底面が被切断材Ｗの表面に接触する状態で固定つまみ１４によって金具１２とアタッチメント１３とを固定する。すると、電動カッター１及びその回転刃３は垂直に保持され、ベース９とアタッチメント１３を被切断材Ｗの表面に接触させた状態で電動カッター１全体を図８の紙面垂直方向に移動させれば、回転する回転刃３によって被切断材Ｗには垂直な溝が形成される。このとき、アタッチメント１３がベース９と共に電動カッター１のガイドとして機能するため、作業時の加重点となるサイドハンドル４の加重方向正面に被切断材Ｗとの接地面を持ってくることができ、電動カッター１を被切断材Ｗに押し付けながら垂直切断作業を安定的に行うことが可能となる。
【００３９】
又、被切断材Ｗに所定角度だけ傾斜した溝を形成する場合には、固定つまみ１４を緩めて図９に示すようにベース９の一端と金具１２をベース９の他端を支点としてアタッチメント１３の起立部１３ａに沿って上方へ移動させ、これらが被切断材Ｗの表面に対して所定角度だけ傾いた状態で固定つまみ１４を回して金具１２とアタッチメント１３とを固定すれば、電動カッター１及びその回転刃３は垂直に対して所定角度だけ傾斜する。
【００４０】
従って、上記状態を保ったまま、不図示のモータを起動して回転刃３を回転駆動しながら、電動カッター１を被切断材Ｗの表面に沿って図９の紙面垂直方向に移動させれば、垂直に対して所定角度だけ傾斜して回転する回転刃３によって被切断材Ｗには所定角度だけ傾斜した溝が容易且つ正確に形成される。
【００４１】
＜実施の形態３＞
次に、本発明の実施の形態３を図１０及び図１１に基づいて説明する。
【００４２】
図１０は本実施の形態に係る電動カッターによる傾斜切断作業を示す正面図、図１１は同電動カッターの部分側面図である。
【００４３】
本実施の形態では、アタッチメント１５によって電動カッター１とその回転刃３を図１０に示すように垂直に対して所定角度だけ傾斜させた状態で図１０の紙面垂直方向に移動させることによって被切断材Ｗに所定角度だけ傾斜した溝を容易且つ正確に形成することができるが、図１１に示すように、本体ハウジング２と保護カバー８及び回転刃３をピン１６を中心として上下に回動させることによって切り込み深さを調節することができる。
【００４４】
ここで、アタッチメント１５には円弧状のガイド１７が立設されており、保護カバー８の内面のガイド１７に対向する位置には固定部材１８が取り付けられており、固定部材１８に形成された不図示の長孔には固定つまみ１９が挿通し、この固定つまみ１９の端部はガイド１７に螺合している。従って、本体ハウジング２と保護カバー８及び回転刃３をピン１６を中心として上下に回動させ、固定つまみ１９によってガイド１７と固定部材１８を固定すれば、回転刃３のアタッチメント１５から下方への突出量、つまり切り込み深さが任意に調節される。
【００４５】
＜実施の形態４＞
次に、本発明の実施の形態４を図１２に基づいて説明する。
【００４６】
図１２は本実施の形態に係る電動カッターによる傾斜切断作業を示す正面図であり、本実施の形態は、本体ハウジング２に固定された保護カバー８のサイドハンドル取付口にアタッチメント２０を固定つまみ２１によって固定することを特徴としている。
【００４７】
上記アタッチメント２０は、被切断材Ｗの表面に対して所定角度だけ傾斜した斜面取付部２０ａを備えており、この斜面取付部２０ａに本体ハウジング２を固定つまみ２１によって固定することによって電動カッター１とその回転刃３を垂直に対して所定角度だけ傾斜させることができ、被切断材Ｗに所定角度だけ傾斜した溝を容易且つ正確に形成することができる。
【００４８】
＜実施の形態５＞
次に、本発明の実施の形態５を図１３に基づいて説明する。
【００４９】
図１３は本実施の形態に係る電動カッターのアタッチメント取付部の断面図であり、本実施の形態では、傾斜切断時に突起状のアタッチメント２２をボルト２３によってベース９の片側下面に取り付け、該アタッチメント２２を被切断材Ｗの表面に押し当てながら切断することによって、被切断材Ｗに垂直に対して所定角度だけ傾斜した溝を容易且つ正確に形成することができる。
【００５０】
＜実施の形態６＞
次に、本発明の実施の形態６を図１４に基づいて説明する。
【００５１】
図１４は本実施の形態に係る電動カッターのアタッチメント取付部の断面図であり、本実施の形態は、アタッチメント１０のガイド部１０ａにガイドローラ２４を回転可能に軸支したことを特徴としており、本実施の形態によれば、アタッチメント１０と被切断材Ｗ間に生じる摩擦抵抗を減らすことができ、傾斜切断を一層容易に行うことができ、被切断材Ｗに垂直に対して所定角度だけ傾斜した溝を正確に形成することができる。
【００５２】
尚、以上の実施の形態１〜６では被切断材に斜めの溝を形成する例について説明したが、本発明に係る電動カッターは、溝の形成のみならず、被切断材を斜めに切り落とす傾斜切断に対しても同様に適用可能であることは勿論である。
【図面の簡単な説明】
【００５３】
【図１】本発明の実施の形態１に係る電動カッターの傾斜切断作業を示す正面図である。
【図２】本発明の実施の形態１に係る電動カッターのアタッチメント取付部の拡大断面図である。
【図３】本発明の実施の形態１に係る電動カッターの別使用例を示す正面図である。
【図４】本発明の実施の形態１に係る電動カッターの変形例を示す正面図である。
【図５】本発明の実施の形態１に係る電動カッターの別使用例を示す正面図である。
【図６】本発明の実施の形態１に係る電動カッターの別使用例を示すアタッチメント取付部の拡大断面図である。
【図７】本発明の実施の形態１に係る電動カッターの別使用例を示す斜視図である。
【図８】本発明の実施の形態２に係る電動カッターのアタッチメント取付部の断面図である。
【図９】本発明の実施の形態２に係る電動カッターのアタッチメント取付部の断面図である。
【図１０】本発明の実施の形態３に係る電動カッターによる傾斜切断作業を示す正面図である。
【図１１】本発明の実施の形態３に係る電動カッターの部分側面図である。
【図１２】本発明の実施の形態４に係る電動カッターによる傾斜切断作業を示す正面図である。
【図１３】本発明の実施の形態５に係る電動カッターのアタッチメント取付部の断面図である。
【図１４】本発明の実施の形態６に係る電動カッターのアタッチメント取付部の断面図である。
【図１５】従来の電動カッターの正面図である。
【図１６】従来の電動カッターの側面図である。
【図１７】従来のカッターによって形成されたコンクリート側壁の溝への配線作業断面図である。
【図１８】従来のカッターによってコンクリート側壁に形成された溝の断面図である。
【図１９】従来のカッターによってコンクリート側壁に形成された溝の断面図である。
【図２０】従来のカッターによって形成されたコンクリート側壁の溝への配線作業断面図である。
【符号の説明】
【００５４】
１        電動カッター
２        本体ハウジング
３        回転刃
４        サブハンドル
５        ハンドル
６        スイッチ
７        電源コード
８        保護カバー
９        ベース
１０      アタッチメント
１０ａ    アタッチメントのガイド部
１０ｂ    アタッチメントの平面取付部
１０ｃ    アタッチメントの斜面取付部
１１      ビス
１２      金具
１３      アタッチメント
１３ａ    アタッチメントの起立部
１３ｂ    アタッチメントの溝
１４      固定つまみ
１５      アタッチメント
１６      ピン
１７      ガイド
１８      固定部材
１９      固定つまみ
２０      アタッチメント
２０ａ    アタッチメントの斜面取付部
２１      固定つまみ
２２      アタッチメント
２３      ボルト
２４      ガイドローラ
Ｗ        被切断材
【図１】
2008200794.tif 000003
【図２】
2008200794.tif 000004
【図３】
2008200794.tif 000005
【図４】
2008200794.tif 000006
【図５】
2008200794.tif 000007
【図６】
2008200794.tif 000008
【図７】
2008200794.tif 000009
【図８】
2008200794.tif 000010
【図９】
2008200794.tif 000011
【図１０】
2008200794.tif 000012
【図１１】
2008200794.tif 000013
【図１２】
2008200794.tif 000014
【図１３】
2008200794.tif 000015
【図１４】
2008200794.tif 000016
【図１５】
2008200794.tif 000017
【図１６】
2008200794.tif 000018
【図１７】
2008200794.tif 000019
【図１８】
2008200794.tif 000020
【図１９】
2008200794.tif 000021
【図２０】
2008200794.tif 000022